(57)【要約】【課題】簡易な構成で残リングを取り外すことが可能な残リング取り外し具を提供すること。【解決手段】軸状部の軸方向の先端部に、その先端部の巾方向の中間側が軸方向基端側に向かって凹む凹部４を備えた係合部５を有する残リング取り外し具１とする。前記凹部４は、弧状凹部、Ｖ字状凹部、く字状凹部、Ｕ字状凹部、コ字状凹部、矩形溝状凹部、Ｗ字状凹部、台形溝状凹部または逆台形溝状凹部のいずれか一つの形態の凹部４である残リング取り外し具１とする。【選択図】図１
0003157961.tif 000002
【実用新案登録請求の範囲】
【請求項１】
軸状部の軸方向の先端部に、その先端部の巾方向の中間側が軸方向基端側に向かって凹む凹部を備えた係合部を有することを特徴とする残リング取り外し具。
【請求項２】
前記凹部は、弧状凹部、Ｖ字状凹部、く字状凹部、Ｕ字状凹部、コ字状凹部、矩形溝状凹部、Ｗ字状凹部、台形溝状凹部または逆台形溝状凹部のいずれか一つの形態の凹部であることを特徴とする請求項１に記載の残リング取り外し具。
【請求項３】
軸状部の軸方向の先端部は、先端側に向かって巾寸法が広くされていることを特徴とする請求項１又は２に記載の残リング取り外し具。
【請求項４】
軸状部の軸方向の先端部は、先端に向かって漸次板厚寸法が小さくされていることを特徴とする請求項１〜３のいずれか１項に記載の残リング取り外し具。
【請求項５】
軸状部の基端側を埋め込み固定したホルダー部と、前記ホルダー部に当接すると共に軸状部の先端側を嵌合収容するための凹部を備えた着脱可能なキャップとを備えていることを特徴とする請求項１〜４のいずれか１項に記載の残リング取り外し具。
【考案の詳細な説明】
【技術分野】
【０００１】
本考案は、ラベルを剥がし、ペットボトルとキャップに資源ゴミとして分別して捨てる際、ボトルのネック部に残る分別しきれていない残キャップを取り除くための残リング取り外し具に関する。
【背景技術】
【０００２】
ペットボトルのボトルのネック部に残るキャップ下端から分離された残リングは、ボトル本体と共に回収され、分別されないで分別済みとなって資源ゴミとして扱われているのが一般的である。
なお、ペットボトル残リングをカットする技術は知られている（例えば、特許文献１、２参照）。
【先行技術文献】
【特許文献】
【０００３】
【特許文献１】特開２００８―１９４８１１号公報
【特許文献２】特開２００５―０６６１２６号公報
【考案の概要】
【考案が解決しようとする課題】
【０００４】
ペットボトル等のボトル本体と、ネック部に残るキャップ下端の残リングとは、材質が異なる。
例えば、ポリエチレンテレフタレート（ＰＥＴ）あるいはガラス製その他の材料により作られている容器としてのボトル本体に、ＰＰ（ポリプロピレン）を材料として作られている下端リング付きキャップとを組み合わされて、飲料品等は販売され、開蓋時に、ボトルネック部に前記下端リングが残リングとして残る。
ボトル本体と残リングとは、材質が異なるため、ボトル本体から残リングを簡単な工具で、取り除くことができると、分別収集効率を上げることができる。残リングを取り除く場合に、個々人の遊び感覚を伴う作業であると分離作業も楽しみながらできる。
前記従来技術の場合には、ペンチと同様な形態であるため、少なくともペンチと同様、長さ２０ｃｍで巾１０ｃｍ程度の大きさを有することになり、常時携帯するには、大きくて不便である。
また、残リングを切断するための鋭い刃部を有すると、携帯時において皮膚が切れて怪我をする恐れがあるから、切断用の鋭い刃部を有しない形態であるほうが携帯用品として安全上望ましい。
残リング取り外し具が、落下防止と魔よけ、飾り等として利用されている携帯ストラップあるいはアクセサリー等の身の回り品として、常時携帯可能な大きさであると、家庭において、または旅行あるいは出張ビジネス時において、飲料水等を飲んだ後に、ボトル類にネック部に残る前記残リングをボトル本体から分離する場合に便利である。
【０００５】
そこで本考案は、上述した点に鑑みて案出されたものであり、その目的とするところは、ボトル類にネック部に残る残リングを容易に取り外すことが可能で携帯可能な簡易な構成の残リング取り外し具を提供することを目的とする。
【課題を解決するための手段】
【０００６】
本願第１考案の残リング取り外し具は、軸状部の軸方向の先端部に、その先端部の巾方向の中間側が軸方向基端側に向かって凹む凹部を備えた係合部を有することを特徴とする。
本願第２考案の残リング取り外し具は、第１考案の残リング取り外し具において、前記凹部は、弧状凹部、Ｖ字状凹部、く字状凹部、Ｕ字状凹部、コ字状凹部、矩形溝状凹部、Ｗ字状凹部、台形溝状凹部または逆台形溝状凹部のいずれか一つの形態の凹部であることを特徴とする。
本願第３考案は、第１考案又は第２考案の残リング取り外し具において、軸状部の軸方向の先端部は、先端側に向かって巾寸法が広くされていることを特徴とする。
本願第４考案は、第１考案〜第３考案のいずれかの残リング取り外し具において、軸状部の軸方向の先端部は、先端に向かって漸次板厚寸法が小さくされていることを特徴とする。
本願第５考案は、第１考案〜第４考案のいずれかの残リング取り外し具において、軸状部の基端側を埋め込み固定したホルダー部と、前記ホルダー部に当接すると共に軸状部の先端側を嵌合収容するための凹部を備えた着脱可能なキャップとを備えていることを特徴とする。
【考案の効果】
【０００７】
上述した構成からなる本考案に係る残リング取り外し具によれば、携帯ストラップあるいはアクセサリー等の身の回り品として利用することができ、しかも小型で携帯可能な工具とすることができる。また、そのような小型で携帯可能な身の回り品兼用の工具を用いて、ネック部に残る残リングを容易にボトル本体から分離することが可能となる。
【図面の簡単な説明】
【０００８】
【図１】本考案を適用した残リング取り外し具を備えた携帯ストラップを示すものであって、（ａ）は正面図、（ｂ）は縦断正面図、（ｃ）はキャップの斜視図である。
【図２】（ａ）は図１に示す残リング取り外し具を備えた携帯ストラップを、ホルダー部側とキャップ側に分離した状態を示す縦断正面図、（ｂ）は（ａ）の側面図である。
【図３】（ａ）は軸状部を備えた金属製金具の正面図、（ｂ）は側面図（ｃ）斜視図である。
【図４】先端係合部における外形の平面変形形態を示す図である。
【図５】先端係合部における凹部の平面変形形態を示す図である。
【図６】図４における平面変形形態において、突起を設けてもよいことを示す平面説明図である。
【図７】本体とキャップとを嵌合係止した状態を示す縦断正面図である。
【図８】本考案を適用した残リング取り外し具を備えた携帯ストラップの他の形態を示す正面図である。
【図９】本考案の残リング取り外し具を用いて、ボトル本体に残されている残リングの取り外し作業をしている状態を示す説明図であって、（ａ）は縦断正面図、（ｂ）はａ−ａ矢視図、（ｃ）は残リングとネック部との関係を示す横断平面図である。
【考案を実施するための形態】
【０００９】
以下、本考案を適用した残リング取り外し具について、図面を参照しながら詳細に説明をする。
【００１０】
図１は、本考案の第１実施形態の残リング取り外し具１を示すものであって、ニッケルその他の鋼製軸状部あるいは金属製軸状部２を備えた金属製金具３における前記軸状部２の軸方向の先端部に、その先端部の巾方向の中間側が軸方向基端側に向かって凹む凹部４を備えた係合部５が設けられている。
【００１１】
前記の軸状部２の断面形態としては、特に規定されるものではなく、棒状あるいは板状でもよく、断面円形、断面楕円状、断面矩形状等の適宜の断面形態でよく、また、軸方向に断面形態が異なる形態でもよい。
【００１２】
軸状部２の外側の外形形態としては、図４（ａ）〜（ｈ）に示すような平面形態でもよく、同図（ａ）から（ｈ）のうち、（ａ）から一つ置きの凹部４のように、凹部４がボトル本体のネック部外周面にフィットするような半径寸法の凹部４とし、その凹部４の両側脚部６を含めて係合させる係合部５とてもよい。また、同図（ｂ）から一つ置きの凹部４のように、凹部４がボトル本体７のネック部外径より小さい半径寸法の凹部４としてその凹部４の両側脚部６をボトル本体のネック部外周面に係合可能なようにしてもよい。
【００１３】
また、図４（ａ）（ｅ）（ｇ）のように、凹部４の両側脚部６を比較的鋭角な脚部６とした形態でもよく、同図（ｂ）（ｄ）（ｆ）（ｈ）のように、脚部先端部に巾方向の巾を有する形態でもよく、同図（ｃ）（ｄ）のように軸方向に伸びた形態の脚部６としてもよい。
【００１４】
前記凹部４の形態としては、図５（ａ）〜（ｅ）に示すように、平面視で、弧状凹部４ａ、Ｖ字状凹部又はく字状凹部４ｂ、Ｕ字状凹部４ｃ、コ字状凹部又は矩形溝状凹部４ｄのいずれかの凹部の形態でもよく、また、図示を省略するが、Ｗ字状凹部、台形溝状凹部または逆台形溝状凹部のいずれかの形態でもよい。
【００１５】
前記の軸状部２の軸方向の先端部は、図３あるいは図４（ａ）〜（ｆ）に示すように、先端側に向かって巾寸法が広くされた広幅とされていると、巾方向一端側を基点として巾方向他端側をボトル軸方向に回動して、ボトルネック部に残されている残リング８を押し上げる場合の手動回動モーメントが大きくなることから、小さい手動力で、残リング８をボトルネック部から押し上げることができる。
【００１６】
前記以外にも、前記の軸状部２の軸方向の先端部の巾は、図４（ｇ）（ｈ）に示すように、軸方向に先端の係合部５まで一定巾であってもよい。
【００１７】
図６（ａ）（ｂ）に示すように、先端部の両側に、一つまたは複数の突起９を設けて、意匠効果を高めるようにしてもよい。また、図示を省略するが、ホルダー部５に意匠効果を高める絵柄等を備えた形態としてもよい。
【００１８】
また、係合部５の軸方向の先端部は、先端に向かって漸次板厚寸法が小さくされている。このようにすることで、図９に示すように、ボトルネック部の大外径支承フランジ１０と残リング８との間に、軸状部２の軸方向の先端部の係合部５を容易に挿し込むことができる。
【００１９】
軸状部２の基端側を埋め込む場合には、図１（ｂ）に示すように、軸状部２の基端側を硬質合成樹脂製のホルダー部１１に埋め込み固定してもよい。ホルダー部１１からの軸状部２の抜け出し防止およびホルダー部１１と軸状部２の基端側との一体化を図るために、埋め込まれる基端側に扁平部１２あるいは貫通孔を設けて一体化を高めるとよい。
【００２０】
前記の軸状部２の先端側を覆う場合には、軸状部２の先端側を嵌合収容するための収納凹部１３を備えた着脱可能な硬質合成樹脂製等のキャップ１４を嵌合して、キャップ１４先端を、前記ホルダー部に当接または嵌合することで収納してもよい。
【００２１】
この場合、図７に示す第２実施形態のように、ホルダー部１１の外周面とキャップ１４内周面とのいずれか一方に、窪み１５を設け、他方に前記窪み１５に嵌合させるための凸部１６を設けて、一方の窪み１５に他方の凸部１６を嵌合させて、ホルダー部１１とキャップ１４との係合を確実に図るようにしてもよい。このようにすると、携帯時にキャップ１４が離脱することはない。
【００２２】
前記のホルダー部１１とキャップ１４の外形としては、２つ合わせて、容器型、人型、人形型、恐竜型、動物類型、魚類型、植物類型、各種おもちゃ形態型、自然風景型等、適宜の外形形態としてもよく、また、各種のキャラクターを有する形態としてもよい。また、キャップ１４を設けない形態でもよい。
【００２３】
また、ホルダー部１１の軸方向端部に、アイリング１７あるいは小型アイボルトの基端側を埋め込み固定し、リング付きストラップ１８を連結して携帯ストラップあるいはアクセサリー２２としてもよく（図１等参照）、あるいは、図示を省略するが、適宜ホルダー部１１に貫通孔を設けて鋼製等の金属製小リングを介してストラップを設けて、携帯ストラップあるいはアクセサリー２２としてもよい。本考案の残リング取り外し具１は、その本体部の長さが、長さ３０ｍｍ〜６０ｍｍ程度、あるいはキャップを含めても５０ｍｍ〜７０ｍｍ程度の長さに収めると携帯容易である。
【００２４】
図８に示す第３実施形態の残リング取り外し具１のように、キャップ１４を設けない形態としては、例えば、十字状で板状の残リング取り外し具本体２１を備えた形態とし、その本体の４つの板状軸部２２のうちの、ストラップ取り付け側を除く３つの板状軸部２２いずれか１つ（図示の場合）又は複数の板状軸部２の軸方向の先端部に、その先端部の巾方向の中間側が軸方向基端側に向かって凹む凹部４を備えた係合部５を設けるようにしてもよい。なお、図中符号１９は貫通孔、２０は鋼製リング等の金属製小リングである。
【００２５】
前記のようなホルダー部１１を有する残リング取り外し具１を使用して、残リングをボトル本体のネック部から取り外す場合の一例について説明する。
【００２６】
例えば、図９に示すように、残リング取り外し具１の係合部５を残リング８とその下側のボトル本体７側の張り出し大外径支承フランジ１０との間に挿入して、係合部５における巾方向の一方の脚部６を、ボトル側のネック部の下部大外径支承フランジ１０に係合させて、係合させた部分を支点としてホルダー部１１を回動するようにすることで、他方の脚部６側により残リング８を持ち上げて、残リング８の一部を、中外径フランジ２３から乗り越えさせる。
このような操作を、ネック部円周方向に必要回数、順次行うことで、容易に残リング８全体を中外径フランジ２３から乗り越えさせることができる。中外径フランジ２３から乗り越えさせた後は、手作業で容易に残リング８をボトル本体のネック部から取り外すことができる。
【００２７】
このように、本考案に係る残リング取り外し具１によれば、小型で携帯可能な工具とすることができ、携帯ストラップあるいはアクセサリー等の身の回り品として利用することができる。また、そのような小型で携帯可能な工具を用いて、ネック部に残る残リングを容易に分離することが可能となる。
なお、本考案を実施する場合、図示を省略するが、板状または棒状の金属製軸状部２又は残リング取り外し具１のいずれかの部分に、爪やすり面を設けるようにしてもよい。
【符号の説明】
【００２８】
１  残リング取り外し具
２  金属製軸状部
３  金属製金具
４  凹部
４ａ  凹部
４ｂ  凹部
４ｃ  凹部
４ｄ  凹部
５  係合部
６  脚部
７  ボトル本体
８  残リング
９  突起
１０  大外径支承フランジ
１１  ホルダー部
１２  扁平部
１３  収納凹部
１４  キャップ
１５  窪み
１６  凸部
１７  アイリング
１８  リング付きストラップ
１９  貫通孔
２０  金属製小リング
２１  残リング取り外し具本体
２２  板状軸部
２３  中外径フランジ２３
【図１】
0003157961.tif 000003
【図２】
0003157961.tif 000004
【図３】
0003157961.tif 000005
【図４】
0003157961.tif 000006
【図５】
0003157961.tif 000007
【図６】
0003157961.tif 000008
【図７】
0003157961.tif 000009
【図８】
0003157961.tif 000010
【図９】
0003157961.tif 000011